(57)【要約】  【課題】  オペレータの作業効率を低下させることなく、目的の画像となるように画像データを補正処理する写真画像処理装置及びその方法を提供する。  【解決手段】  画像を固体撮像素子で読み取る画像読取手段３０と、第一読取条件に基づいて画像読取手段３０により低解像度画像データを読み取る第一画像読取制御手段３１と、低解像度画像データに基づいて第一読取条件を補正した第二読取条件に基づいて画像読取手段３０により高解像度画像データを読み取る第二画像読取制御手段３２と、低解像度画像データに対して所定の補正を行なう第一画像補正手段３５と、第一画像補正手段３５による補正条件を第二読取条件に基づいて補正した更新補正条件で高解像度画像データを補正する第二画像補正手段３６を備え、第二読取条件が閾値条件を逸脱するときに、高解像度画像データを更新補正条件とは異なる補正条件で補正する第三画像補正手段３７を備える。【選択図】  図１
2006340272.tif 000002
【特許請求の範囲】
【請求項１】
光源からの照射光のうち写真フィルムからの透過光または反射光を固体撮像素子で読み取る画像読取手段と、第一読取条件に基づいて前記画像読取手段により低解像度画像データを読み取る第一画像読取制御手段と、前記低解像度画像データに基づいて第一読取条件を補正した第二読取条件に基づいて前記画像読取手段により高解像度画像データを読み取る第二画像読取制御手段と、前記低解像度画像データに対して所定の補正処理を行なう第一画像補正手段と、前記第一画像補正手段による補正条件を前記第二読取条件に基づいて補正した更新補正条件で前記高解像度画像データを補正処理する第二画像補正手段を備えた写真画像処理装置であって、
前記第二読取条件が所定の閾値条件を逸脱するときに、前記高解像度画像データを前記更新補正条件とは異なる第三の補正条件で補正処理する第三画像補正手段を備えてある写真画像処理装置。
【請求項２】
前記第一画像補正手段により所定の補正処理が行なわれた低解像度画像データにおける濃度累積ヒストグラムである補正画像累積ヒストグラムを生成する補正画像累積ヒストグラム生成手段と、前記高解像度画像データにおける濃度累積ヒストグラムである高解像度累積ヒストグラムを生成する高解像度累積ヒストグラム生成手段とを備え、前記第三画像補正手段が、前記補正画像累積ヒストグラムと高解像度累積ヒストグラムとから導出した第三の補正条件で前記高解像度画像データを補正処理する請求項１に記載の写真画像処理装置。
【請求項３】
前記高解像度画像データを縮小した縮小画像データを生成する縮小画像データ生成部を備え、前記第三画像補正手段が、前記縮小画像データに対して所定の補正処理を行なうとともに、前記縮小画像データに対して所定の補正処理を行なった第三の補正条件に基づいて前記高解像度画像データを補正処理する請求項１に記載の写真画像処理装置。
【請求項４】
前記第一読取条件及び前記第二読取条件が前記固体撮像素子の電荷蓄積時間である請求項１から３の何れかに記載の写真画像処理装置。
【請求項５】
光源からの照射光のうち写真フィルムからの透過光または反射光を固体撮像素子で読み取る画像読取手段により、第一読取条件に基づいて低解像度画像データを読み取る第一画像読取制御ステップと、前記低解像度画像データに基づいて第一読取条件を補正した第二読取条件に基づいて前記画像読取手段により高解像度画像データを読み取る第二画像読取制御ステップと、前記低解像度画像データに対して所定の補正処理を行なう第一画像補正ステップと、前記第一画像補正ステップでの補正条件を前記第二読取条件に基づいて補正した更新補正条件で前記高解像度画像データを補正処理する第二画像補正ステップとからなる写真画像処理方法であって、
前記第二読取条件が所定の閾値条件を逸脱するときに、前記高解像度画像データを前記更新補正条件とは異なる第三の補正条件で補正処理する第三画像補正ステップを設ける写真画像処理方法。
【請求項６】
前記第三画像補正ステップにおいて、前記第一画像補正ステップで所定の補正処理が行なわれた低解像度画像データにおける濃度累積ヒストグラムである補正画像累積ヒストグラムと、前記高解像度画像データにおける濃度累積ヒストグラムである高解像度累積ヒストグラムとを生成し、前記補正画像累積ヒストグラムと高解像度累積ヒストグラムとから導出した第三の補正条件で前記高解像度画像データを補正処理する請求項５に記載の写真画像処理方法。
【請求項７】
前記第三画像補正ステップにおいて、前記高解像度画像データを縮小した縮小画像データを生成し、前記縮小画像データに対して所定の補正処理を行なうとともに、前記縮小画像データに対して所定の補正処理を行なった第三の補正条件に基づいて前記高解像度画像データを補正処理する請求項５に記載の写真画像処理方法。
【請求項８】
前記第一読取条件及び前記第二読取条件が前記固体撮像素子の電荷蓄積時間である請求項５から７の何れかに記載の写真画像処理方法。
【発明の詳細な説明】
【技術分野】
【０００１】
本発明は、低解像度で読み取った画像データに対する補正条件に基づいて高解像度で読み取った画像データを補正処理する写真画像処理装置及びその方法に関し、詳細には、光源からの照射光のうち写真フィルムからの透過光または反射光を固体撮像素子で読み取る画像読取手段と、第一読取条件に基づいて前記画像読取手段により低解像度画像データを読み取る第一画像読取制御手段と、前記低解像度画像データに基づいて第一読取条件を補正した第二読取条件に基づいて前記画像読取手段により高解像度画像データを読み取る第二画像読取制御手段と、前記低解像度画像データに対して所定の補正処理を行なう第一画像補正手段と、前記第一画像補正手段による補正条件を前記第二読取条件に基づいて補正した更新補正条件で前記高解像度画像データを補正処理する第二画像補正手段を備えた写真画像処理装置及びその方法に関する。
【背景技術】
【０００２】
従来の写真画像処理装置では、先ずフィルムスキャナにより写真フィルムに記録されている画像を低解像度で高速に読み取るプレスキャン処理を行ない、読み取られた低解像度画像データに基づいてモニタに表示し、表示された画像に対して好ましい階調性を示すように、オペレータがその感性に基づいて種々の補正処理を試し、最終的に満足のできる補正処理が施されたときの補正条件を記憶し、その後に前記フィルムスキャナにより高解像度で読み取る本スキャン処理を行ない、読み取られた高解像度画像データに対して前記補正条件に基づいた補正処理を施すように構成されている。つまり、オペレータが種々の補正処理を試すときにデータ容量の小さな低解像度画像データを用いることにより、種々試すこととなる補正処理にかかる時間や前記モニタに画像として表示するための処理時間を短縮することでオペレータの作業効率等を向上させるために上述のように構成されている。
【０００３】
また、前記フィルムスキャナは、入力される光量に応じた電位を出力するＣＣＤラインセンサ等の固体撮像素子が入力素子として用いられ、当該固体撮像素子の出力信号がＡ／Ｄ変換回路により量子化されてデジタル画像データとして読み取られる。
【０００４】
ここで、前記写真フィルムに記録されている各コマ画像は、撮影条件によりそれぞれ画像濃度が異なっているが、上述のプレスキャン処理では第一読取条件としてフィルムベースの透過光によりＣＣＤラインセンサの出力が飽和しない所定の電荷蓄積時間で一律に読取制御され、本スキャン処理時には、プレスキャンによるコマ画像毎の低解像度画像データの平均濃度または最大濃度に基づいて第一読取条件を補正した第二読取条件で設定される電荷蓄積時間に基づいて読取制御されることで、撮影条件にかかわらずＳ／Ｎ比が低下することなく十分な階調性を確保可能な状態で高解像度画像データが得られるように構成されている。
【０００５】
従って、低解像度画像データと高解像度データが異なる電荷蓄積時間で読み込まれるときには、低解像度画像データに対する補正条件を高解像度データに対する電荷蓄積時間に応じて補正した更新補正条件に基づいて前記高解像度画像データを補正処理していた。
【特許文献１】特開２００３−１３４３４１号公報
【発明の開示】
【発明が解決しようとする課題】
【０００６】
しかし、前記ＣＣＤラインセンサにおける出力特性である電荷蓄積時間と出力電位との関係は、図１５に示すように非線形性を含んだ関係となっているにもかかわらず、従来では、前記出力特性がリニアな特性という前提のもとに前記更新補正条件を導出していた。このため、特に、前記画像を低解像度で読み取ったときの電荷蓄積時間Ｔ１と、高解像度で読み取ったときの電荷蓄積時間Ｔ２が大きく異なった場合に、例えば、前記更新補正条件が電荷蓄積時間Ｔ１のときの光強度と出力電位との関係に基づいた線形的な変換倍率に基づいて設定されていたときには、前記更新補正条件で補正処理を行なった高解像度の画像データと、前記更新補正条件の導出基礎となる補正条件で補正処理を行なった低解像度の画像データとの間に違いが生じる。
【０００７】
このため、このような場合には、最終的に写真画像処理装置から出力されてくる前記更新補正条件で補正処理を行なった高解像度の画像データから得られる画像が、オペレータが前記モニタで確認を行なった目的の画像とは大きく異なり、再度目的の画像となるように、画像データの補正処理を行ない直さなくてはならず、逆にオペレータの作業効率が低下することが問題となっていた。
【０００８】
本発明は、上述した従来の問題点に鑑み、オペレータの作業効率を低下させることなく、目的の画像となるように画像データを補正処理することができる写真画像処理装置及びその方法を提供する点にある。
【課題を解決するための手段】
【０００９】
上述の目的を達成するため、本発明による写真画像処理装置の第一の特徴構成は、特許請求の範囲の書類の請求項１に記載した通り、光源からの照射光のうち写真フィルムからの透過光または反射光を固体撮像素子で読み取る画像読取手段と、第一読取条件に基づいて前記画像読取手段により低解像度画像データを読み取る第一画像読取制御手段と、前記低解像度画像データに基づいて第一読取条件を補正した第二読取条件に基づいて前記画像読取手段により高解像度画像データを読み取る第二画像読取制御手段と、前記低解像度画像データに対して所定の補正処理を行なう第一画像補正手段と、前記第一画像補正手段による補正条件を前記第二読取条件に基づいて補正した更新補正条件で前記高解像度画像データを補正処理する第二画像補正手段を備えた写真画像処理装置であって、前記第二読取条件が所定の閾値条件を逸脱するときに、前記高解像度画像データを前記更新補正条件とは異なる第三の補正条件で補正処理する第三画像補正手段を備えてある点にある。
【００１０】
上述の構成によれば、前記第三画像補正手段が、前記第二読取条件が所定の閾値条件を逸脱するときに、前記高解像度画像データを前記更新補正条件とは異なる補正条件で補正するため、前記第二読取条件が所定の閾値条件を逸脱していても前記更新補正条件にかかわらず、前記更新補正条件と異なる第三の補正条件で前記高解像度画像データを適正に補正処理することができるのである。
【００１１】
同第二の特徴構成は、同請求項２に記載した通り、上述の第一の特徴構成に加えて、前記第一画像補正手段により所定の補正処理が行なわれた低解像度画像データにおける濃度累積ヒストグラムである補正画像累積ヒストグラムを生成する補正画像累積ヒストグラム生成手段と、前記高解像度画像データにおける濃度累積ヒストグラムである高解像度累積ヒストグラムを生成する高解像度累積ヒストグラム生成手段とを備え、前記第三画像補正手段が、前記補正画像累積ヒストグラムと高解像度累積ヒストグラムとから導出した第三の補正条件で前記高解像度画像データを補正処理する点にある。
【００１２】
上述の構成によれば、通常は、前記第二画像補正手段が、前記第一画像補正手段による補正条件を前記第二読取条件に基づいて補正した更新補正条件で前記高解像度画像データを補正処理するため、何ら問題を生じることなく、目的の画像と実質的に同質な画像となる高解像度画像データを得ることができ、また、前記第二読取条件が所定の閾値条件を逸脱していているときに、前記第三画像補正手段が、前記補正画像累積ヒストグラムと高解像度累積ヒストグラムとから導出した第三の補正条件、例えば、前記高解像度累積ヒストグラムを前記補正画像累積ヒストグラムに変換する変換関数を導出し、前記変換関数に基づいて前記高解像度画像データを補正処理するため、前記第二読取条件が所定の閾値条件を逸脱していても、前記第一画像補正手段によって補正処理が行なわれた低解像度画像データから得られる目的画像と実質的に同質な画像となる高解像度画像データを確実に得ることが可能となるのである。つまり、オペレータの作業効率を低下させることなく、目的の画像となるように画像データを補正処理する写真画像処理装置とすることができるのである。
【００１３】
同第三の特徴構成は、同請求項３に記載した通り、上述の第一の特徴構成に加えて、前記高解像度画像データを縮小した縮小画像データを生成する縮小画像データ生成部を備え、前記第三画像補正手段が、前記縮小画像データに対して所定の補正処理を行なうとともに、前記縮小画像データに対して所定の補正処理を行なった第三の補正条件に基づいて前記高解像度画像データを補正処理する点にある。
【００１４】
上述の構成によれば、通常は、前記第二画像補正手段が、前記第一画像補正手段による補正条件を前記第二読取条件に基づいて補正した更新補正条件で前記高解像度画像データを補正処理するため、何ら問題を生じることなく、目的の画像と実質的に同質な画像となる高解像度画像データを得ることができ、また、前記第二読取条件が所定の閾値条件を逸脱していているときに、前記第三画像補正手段が、前記高解像度画像データを縮小した縮小画像データに対して所定の補正処理を行なうとともに、前記縮小画像データに対して所定の補正処理を行なった第三の補正条件に基づいて前記高解像度画像データを補正処理するため、確実に目的の画像を得ることができるのである。つまり、オペレータの作業効率を低下させることなく、目的の画像となるように画像データの補正処理が可能な写真画像処理装置とすることができるのである。
同第四の特徴構成は、同請求項４に記載した通り、上述の第一から第三の何れかの特徴構成に加えて、前記第一読取条件及び前記第二読取条件が前記固体撮像素子の電荷蓄積時間である点にあり、固体撮像素子の電荷蓄積時間により確実に画像の読み取り制御を行なうことが可能となるのである。
【００１５】
上述の目的を達成するため、本発明による写真画像処理方法の第一の特徴構成は、同請求項５に記載した通り、光源からの照射光のうち写真フィルムからの透過光または反射光を固体撮像素子で読み取る画像読取手段により、第一読取条件に基づいて低解像度画像データを読み取る第一画像読取制御ステップと、前記低解像度画像データに基づいて第一読取条件を補正した第二読取条件に基づいて前記画像読取手段により高解像度画像データを読み取る第二画像読取制御ステップと、前記低解像度画像データに対して所定の補正処理を行なう第一画像補正ステップと、前記第一画像補正ステップでの補正条件を前記第二読取条件に基づいて補正した更新補正条件で前記高解像度画像データを補正処理する第二画像補正ステップとからなる写真画像処理方法であって、前記第二読取条件が所定の閾値条件を逸脱するときに、前記高解像度画像データを前記更新補正条件とは異なる第三の補正条件で補正処理する第三画像補正ステップを設ける点にある。
【００１６】
同第二の特徴構成は、同請求項６に記載した通り、上述の第一の特徴構成に加えて、前記第三画像補正ステップにおいて、前記第一画像補正ステップで所定の補正処理が行なわれた低解像度画像データにおける濃度累積ヒストグラムである補正画像累積ヒストグラムと、前記高解像度画像データにおける濃度累積ヒストグラムである高解像度累積ヒストグラムとを生成し、前記補正画像累積ヒストグラムと高解像度累積ヒストグラムとから導出した第三の補正条件で前記高解像度画像データを補正処理する点にある。
【００１７】
同第三の特徴構成は、同請求項７に記載した通り、上述の第一の特徴構成に加えて、前記第三画像補正ステップにおいて、前記高解像度画像データを縮小した縮小画像データを生成し、前記縮小画像データに対して所定の補正処理を行なうとともに、前記縮小画像データに対して所定の補正処理を行なった第三の補正条件に基づいて前記高解像度画像データを補正処理する点にある。
【００１８】
同第四の特徴構成は、同請求項８に記載した通り、上述の第一から第三の何れかの特徴構成に加えて、前記第一読取条件及び前記第二読取条件が前記固体撮像素子の電荷蓄積時間である点にある。
【発明の効果】
【００１９】
以上説明した通り、本発明によれば、オペレータの作業効率を低下させることなく、目的の画像となるように画像データを補正処理することができる写真画像処理装置及びその方法を提供することができるようになった。
【発明を実施するための最良の形態】
【００２０】
以下、本発明による写真画像処理装置及びその方法の実施の形態について説明する。前記写真画像処理装置は、図２に示すように、撮影済みのネガフィルム（以下、単に「写真フィルム」と記す。）Ｆ等から写真画像を読み取るフィルムスキャナ１と、モニタＣ１、キーボードＣ２、マウスＣ３、システムコントローラＣを備え、スマートメディア、コンパクトフラッシュ(登録商標)等の各種のカード型メモリやＣＤ−ＲＯＭ、ＭＯ等の磁気式や光学式の記憶媒体に対応した複数のドライバを備えた操作設定部ＯＰと、前記フィルムスキャナ１で読み取られた写真画像データに基づいて印画紙を露光、現像処理して写真プリントＰを出力するプリンタ３とからなり、フィルムスキャナ１は、操作設定部ＯＰ及びプリンタ３とからなる本体と分離して構成されている。
【００２１】
前記プリンタ３は、図３に示すように、ロール状の印画紙Ｐが収容されたペーパーマガジン５０と、前記ペーパーマガジン５０から印画紙を引き出して搬送する複数の印画紙搬送ローラ５２と、搬送ローラ５２を駆動するモータ５４と、搬送される印画紙Ｐの感光面を露光する蛍光ビーム方式のプリントヘッド６０と、露光済みの印画紙に現像、漂白、定着の各処理を施す現像処理部６２と、現像処理された印画紙を乾燥しながら搬送する乾燥部６４と、乾燥された印画紙Ｐを最終のプリントとして排出する排出部６６とを備えて構成されている。尚、前記ペーパーマガジン５０から引き出された印画紙Ｐは、現像処理の前後何れかに配置されたカッター（図示せず）によって所定のプリントサイズにカットされて排出部６６に出力される。
【００２２】
前記プリントヘッド６０は、グリッド電圧の調節により発光が制御される蛍光体にレンズとカラーフィルタを装着した蛍光体素子を主走査方向に並べた赤色発光ブロックと緑色発光ブロックと青色発光ブロックの三列で構成してあり、前記フィルムスキャナ１により読み取られたＲ成分、Ｇ成分、Ｂ成分の各画像データに基づいて駆動制御することにより印画紙上に写真画像を生成する。
【００２３】
前記システムコントローラＣは、ＣＰＵ、ＲＯＭ、ＲＡＭ、Ｉ／Ｆ回路等でなるマイクロコンピュータシステムを備えて構成してあり、モニタＣ１に表示された各種情報に従ったキーボードＣ２からの入力操作に基づいて、上述のフィルムスキャナ１やプリンタ３の各ブロックを所定の手順で制御して動作させる。
【００２４】
前記フィルムスキャナ１は、写真フィルムＦに読取用の照明光を照射する照明光学系１０、写真フィルムＦを搬送するフィルム搬送部２０と、当該フィルム搬送部２０により搬送された写真フィルムＦに記録されたコマ画像を読み取る画像読取手段３０と、前記照明光学系１０、前記フィルム搬送部２０及び前記画像読取手段３０による画像読取プロセスを制御する画像読取プロセス制御手段４０を備えて構成してあり、前記画像読取プロセス制御手段４０と前記システムコントローラＣとがシステム動作を制御する制御信号ラインＬ１で接続されるとともに、前記画像読取手段３０と前記システムコントローラＣとが画像データを送信する画像信号ラインＬ２で接続されている。
【００２５】
前記照明光学系１０は、ハロゲンランプ１１と、ハロゲンランプ１１からの光線束の色分布を調整する調光フィルタ１２と、同光線束をスリット状に集光するシリンドリカルレンズ１３と、強度分布を均一にする拡散板１４と、幅狭のスリット１５を備えて構成してあり、主走査方向に沿ったスリット光により写真フィルムを照射する。尚、拡散板１４及びスリット１５は後述のフィルム搬送機構２０に取り付けてある。
【００２６】
前記フィルム搬送機構２０は、写真フィルムＦを前記スリット１５の直下のフィルム投影部に向けて搬送する複数の搬送ローラ対２１と、搬送ローラ対２１を駆動するモータ２２を備えて構成してあり、写真フィルムＦは前記画像読取プロセス制御手段４０により所定速度で搬送制御される。
【００２７】
前記画像読取手段３０は、集光レンズ、固体撮像素子としてのＣＣＤラインセンサ、サンプルホールド回路、Ａ／Ｄ変換器等を備えて構成してあり、写真フィルムＦを透過した前記照明光学系１０からのスリット光が集光レンズによりＣＣＤラインセンサ上に結像され、ＣＣＤラインセンサにより読み取られたアナログ信号がＡ／Ｄ変換器によりデジタルデータに変換されるように構成されている。前記ＣＣＤラインセンサは、透過光のＲ成分、Ｇ成分、Ｂ成分の各成分の光を選択的に通過させるカラーフィルタが夫々設けられた３列のＣＣＤラインセンサで構成され、以って写真フィルム上の各コマ画像が写真フィルムＦの搬送に伴って、Ｒ成分、Ｇ成分、Ｂ成分の各色成分に分解して読み込まれる。
【００２８】
前記システムコントローラＣにより写真フィルム読取指令が送られると、前記画像読取プロセス制御手段４０は、前記ハロゲンランプ１１を点灯させた後に、前記フィルム搬送機構２０により写真フィルムＦを所定速度で搬送させ、前記画像読取手段３０により写真フィルム上に記録されたコマ画像を順次読み取り、読み取った画像データを画像信号ラインＬ２を介して前記システムコントローラＣに送信する。受信した画像データは記憶手段７０に記憶される。
【００２９】
前記記憶手段７０に記憶されたコマ画像データに所定の写真画像処理が施され、当該コマ画像データに基づいて駆動されるプリントヘッド６０により露光された印画紙Ｐが現像処理されて写真プリントとして出力される。
【００３０】
前記コマ画像データに施す写真画像処理にかかる機能ブロック構成は、図１に示すように、第一読取条件に基づいて前記画像読取手段３０により前記写真フィルムＦに記録されているコマ画像を低解像度画像データとして読み取る第一画像読取制御手段３１と、前記低解像度画像データに基づいて第一読取条件を補正した第二読取条件に基づいて前記画像読取手段３０により前記コマ画像を高解像度画像データとして読み取る第二画像読取制御手段３２と、前記画像読取手段３０によって読み取られたデジタル画像データとしての前記低解像度画像データや前記高解像度画像データまたはそれらが補正処理されたデジタル画像データ等に基づいた画像情報や入力情報等からなるグラフィック操作画面を生成し前記モニタＣ１に前記グラフィック操作画面の表示を行うとともに前記グラフィック操作画面に対する前記キーボードＣ２またはマウスＣ３からの入力操作に基づいて各種の制御コマンドを生成するグラフィックユーザーインターフェース（ＧＵＩ）部３４と、前記低解像度画像データに対して所定の補正処理を行なう第一画像補正手段３５と、前記第一画像補正手段３５による補正条件を前記第二読取条件に基づいて補正した更新補正条件で前記高解像度画像データを補正処理する第二画像補正手段３６と、前記第二読取条件が所定の閾値条件を逸脱するときに、前記高解像度画像データを前記更新補正条件とは異なる第三の補正条件で補正処理する第三画像補正手段３７と、前記第一画像補正手段３５により所定の補正処理が行なわれた低解像度画像データにおける濃度累積ヒストグラムである補正画像累積ヒストグラムを生成する補正画像累積ヒストグラム生成手段３８と、前記高解像度画像データにおける濃度累積ヒストグラムである高解像度累積ヒストグラムを生成する高解像度累積ヒストグラム生成手段３９等を備えて構成されている。
【００３１】
前記第一画像読取制御手段３１は、前記画像読取手段３０を第一読取条件で制御することにより、前記写真フィルムＦに記録されているコマ画像を低解像度画像データとして読み取り、前記読み取った低解像度画像データを前記記憶手段７０に記憶させるように構成されている。ここで、前記第一読取条件は、例えば、前記画像読取手段３０における前記ＣＣＤラインセンサの電荷蓄積時間の設定条件であり、前記第一画像読取制御手段３１は、前記写真フィルムＦに記録されているコマ画像にかかわらず、常に一定の電荷蓄積時間Ｔａで前記コマ画像を低解像度画像データとして読み取るように構成されている。
【００３２】
前記第二画像読取制御手段３２は、前記画像読取手段３０を第二読取条件で制御することにより、前記写真フィルムＦに記録されているコマ画像を高解像度画像データとして読み取り、前記読み取った高解像度画像データを前記記憶手段７０に記憶させるように構成されている。ここで、前記第二読取条件は、前記画像読取手段３０における前記ＣＣＤラインセンサの電荷蓄積時間であり、前記第二画像読取制御手段３２は、前記コマ画像を低解像度画像データとして読み取った際における前記電荷蓄積時間Ｔａが前記低解像度画像データに基づいて補正された電荷蓄積時間Ｔｂで前記コマ画像を高解像度画像データとして読み取るように構成されている。尚、前記電荷蓄積時間Ｔｂは、前記低解像度画像データにおける後述する平均濃度値を算出し、前記平均濃度に対応した予め記憶されている変換倍率Ｂａを前記電荷蓄積時間Ｔａに乗算することで導出されるように構成されている。尚、変換倍率Ｂａは、算出された前記平均濃度が所定濃度となるように演算処理により求められるように構成することもできる。
【００３３】
前記第一画像補正手段３５は、前記記憶手段７０に記憶された低解像度画像データとしての前記ＣＣＤラインセンサからの低解像度画像出力電位データを低解像度画像濃度値（階調値）データへ変換するための、例えば、図４に示すような、予め設定されているガンマ曲線Ｇｒに基づいて前記低解像度画像出力電位データを低解像度画像濃度値データに変換し、前記モニタＣ１に低解像度画像として表示させ、前記キーボードＣ２や前記マウスＣ３を介したオペレータからの操作指示に基づいて前記低解像度画像濃度値データに対して濃度補正やコントラスト補正等の補正処理を行なうとともに補正処理した低解像度画像濃度値データを再度前記モニタＣ１表示させ、最終的にオペレータによって決定された補正処理後の低解像度画像濃度値データに施されている補正条件を生成するように構成されている。ここで、図中に示される規格化濃度値とは、低解像度画像データや高解像度画像データとしての各画像データにおいて設定される最大設定濃度値、つまり、８ビットデータであれば２５５、また、１６ビットデータであれば６５５３５で各濃度値を除した値を示す。
【００３４】
ここで、前記平均濃度値は、前記低解像度画像出力電位データが前記ガンマ曲線Ｇｒに基づいて変換された低解像度画像濃度値データの各画素における濃度値の平均値である。
【００３５】
前記キーボードＣ２や前記マウスＣ３を介したオペレータからの操作指示は、図５（ａ）に示すような、前記低解像度画像濃度値データに対する変換特性Ｈｔとして生成され、前記変換特性Ｈｔに基づいて前記低解像度画像濃度値データが補正処理されるように構成されている。
【００３６】
また、前記補正条件は、最終的にオペレータによって決定された変換特性Ｈｔに、予め設定されていた前記ガンマ曲線Ｇｒが乗算された図５（ｂ）に示すような補正ガンマ曲線Ｇｈとして生成されるように構成されている。
【００３７】
前記第二画像補正手段３６は、前記記憶手段７０に記憶された前記高解像度画像データに対して更新補正条件で補正処理するように構成されている。ここで、前記更新補正条件は、前記第一画像補正手段３５により生成された前記高解像度画像データと同一のコマ画像から読み取られた低解像度画像データに対する補正条件としての前記補正ガンマ曲線Ｇｈに、前記電荷蓄積時間Ｔｂに基づいた変換倍率Ｂａ、つまり、図５（ｃ）に示すように、前記低解像度画像データにおける平均濃度値に対応した予め記憶されている変換倍率Ｂａを乗算することで更新補正ガンマ曲線Ｇｋとして導出される。
【００３８】
つまり、前記第二画像補正手段３６は、前記記憶手段７０に記憶された高解像度画像データとしての高解像度画像出力電位データを前記更新補正ガンマ曲線Ｇｋに基づいて高解像度画像濃度値データへ変換すると同時に補正処理をも行なうように構成されている。
【００３９】
前記補正画像累積ヒストグラム生成手段３８は、図６（ａ）に示すような、前記補正ガンマ曲線Ｇｈにより画像変換されている低解像度画像濃度値データにおける濃度累積ヒストグラムである補正画像累積ヒストグラムを生成するように構成されている。ここで、図中に示される累積率とは、出力電位データが濃度値データに変換された前記低解像度画像濃度値データや後述する高解像度画像濃度値データとしての濃度値画像データの各濃度値における画素数を順に加えた累積値を、前記濃度値画像データにおける総画素数で規格化した値を示す。
【００４０】
前記高解像度累積ヒストグラム生成手段３９は、同じく図６（ａ）に示すような、前記更新補正ガンマ曲線Ｇｋが施されている高解像度画像濃度値データにおける濃度累積ヒストグラムである高解像度累積ヒストグラムを生成するように構成されている。
【００４１】
前記第三画像補正手段３７は、前記電荷蓄積時間Ｔｂが所定の閾値条件である電荷蓄積時間Ｔｔｈを逸脱するときに、前記記憶手段７０に記憶されている高解像度画像データを前記更新補正条件とは異なる第三の補正条件で補正処理するもので、前記電荷蓄積時間Ｔｂが前記電荷蓄積時間Ｔｔｈ以上となったときに、前記記憶手段７０に記憶されている高解像度画像データを第三の補正条件としての後述する調整補正条件で補正処理するように構成されている。
【００４２】
前記調整補正条件は、前記補正画像累積ヒストグラムと高解像度累積ヒストグラムとから導出するように構成されている。例えば、図６（ａ）に示すように、前記補正画像累積ヒストグラムにおける各規格化濃度値Ｎ（ｉ）に対する累積率Ｌ（Ｎ（ｉ））と前記高解像度累積ヒストグラムにおける各規格化濃度値Ｎ（ｉ）に対する累積率Ｈ（Ｎ（ｉ））とを導出し、図６（ｂ）に示すような、各規格化濃度値Ｎ(ｉ)に対する前記累積率Ｌ（Ｎ（ｉ））と前記累積率Ｈ（Ｎ（ｉ））との比である調整曲線Ｙａを生成する。次に、図６（ｃ）に示すような、前記更新補正ガンマ曲線Ｇｋに前記調整曲線Ｙａを乗算した調整ガンマ曲線Ｇｙを生成し、前記調整ガンマ曲線Ｇｙを前記調整補正条件とするように構成されている。
【００４３】
つまり、前記第三画像補正手段３７は、前記補正画像累積ヒストグラムと高解像度累積ヒストグラムに基づいて調整補正条件としての前記調整ガンマ曲線Ｇｙを生成し、前記記憶手段７０に記憶された高解像度画像データとしての高解像度画像出力電位データを前記調整ガンマ曲線Ｇｙに基づいて高解像度画像濃度値データへ変換すると同時に補正処理をも行なうように構成されている。
【００４４】
以下、前記コマ画像データに施す写真画像処理の動作について図７、図８、図９のフローチャートに基づいて説明する。前記フィルムスキャナ１に所定枚数、例えば、２４コマのコマ画像が記録された写真フィルムＦがセットされると（ＳＡ１）、前記第一画像読取制御手段３１は、前記画像読取手段３０における前記ＣＣＤラインセンサの電荷蓄積時間を常に一定の電荷蓄積時間Ｔａで制御することにより、前記写真フィルムＦに記録されている２４コマのコマ画像を低解像度画像データとして順次読み取り（ＳＡ２）、前記記憶手段７０に記憶させる（ＳＡ３）。
【００４５】
前記第一画像読取制御手段３１により前記写真フィルムＦに記録された２４コマのコマ画像が全て低解像度画像データとして読み取られるプレスキャン動作が終了すると、前記第一画像補正手段３５は、予め設定されている前記ガンマ曲線Ｇｒに基づいて前記低解像度画像データとしての低解像度画像出力電位データを低解像度画像濃度値データへ変換し、前記変換された低解像度画像濃度値データを前記モニタＣ１に低解像度画像として所定コマ数、例えば、６コマを表示させ、プリントすべきコマ画像の選択、コマ画像の濃度やカラー補正等の必要性の判定及び必要な場合の補正処理等を行なうフィルム検定に入る（ＳＡ４）。
【００４６】
フィルム検定では、前記第一画像補正手段３５は、前記キーボードＣ２や前記マウスＣ３を介したオペレータからの操作指示に基づいて前記表示された６枚の低解像度画像から写真プリントとして出力する画像に対応する低解像度画像を選択するとともに、前記選択した低解像度画像に対するオペレータからの補正処理に関する操作指示に基づいて前記変換特性Ｈｔを生成する（ＳＡ５）。そして、前記変換特性Ｈｔに基づいて前記低解像度画像に対応する前記低解像度画像濃度値データに対して濃度補正やコントラスト補正等の補正処理を行なうとともに（ＳＡ６）、前記補正処理した低解像度画像濃度値データを低解像度画像として再度前記モニタＣ１に表示させる（ＳＡ７）。
【００４７】
オペレータにより最終的な補正処理が確定されると（ＳＡ８）、前記第一画像補正手段３５は、最終的に補正処理された前記低解像度画像濃度値データにおけるそれぞれの前記変換特性Ｈｔに、予め設定されていた前記ガンマ曲線Ｇｒが乗算された補正ガンマ曲線Ｇｈを生成する（ＳＡ９）。
【００４８】
前記補正ガンマ曲線Ｇｈが生成されると、前記第二画像読取制御手段３２は、最終的に補正処理された前記低解像度画像データに対応する前記写真フィルムＦに記録されているコマ画像を高解像度画像データとして読み取る本スキャン動作を実行する。
【００４９】
本スキャン動作では、前記第二画像読取制御手段３２は、先ず、前記低解像度画像出力電位データが前記ガンマ曲線Ｇｒのみに基づいて変換された低解像度画像濃度値データにおける平均濃度値を算出し（ＳＡ１０）、前記平均濃度値に対応した予め記憶されている変換倍率Ｂａを前記電荷蓄積時間Ｔａに乗算した電荷蓄積時間Ｔｂを導出する（ＳＡ１１）。
【００５０】
そして、前記画像読取手段３０における前記ＣＣＤラインセンサの電荷蓄積時間を前記電荷蓄積時間Ｔｂに制御して、前記写真フィルムＦに記録されているコマ画像の中から前記電荷蓄積時間Ｔｂを導出する基礎となった低解像度画像データに対応するコマ画像を高解像度画像データとして読み取り（ＳＡ１２）、前記記憶手段７０に読み取った高解像度画像データを記憶させる（ＳＡ１３）。
【００５１】
前記第二画像補正手段３６は、前記補正ガンマ曲線Ｇｈに、前記電荷蓄積時間Ｔｂに基づいた変換倍率Ｂａを乗算することで更新補正ガンマ曲線Ｇｋを導出する（ＳＡ１４）。
【００５２】
そして、前記電荷蓄積時間Ｔｂが予め設定されている閾値としての前記電荷蓄積時間Ｔｔｈよりも小さいときに（ＳＡ１５）、前記第二画像補正手段３６は、前記記憶手段７０に記憶された高解像度画像データとしての高解像度画像出力電位データを前記更新補正ガンマ曲線Ｇｋに基づいて高解像度画像濃度値データへ変換すると同時に補正処理をも行なう（ＳＡ１６）。
【００５３】
一方、前記電荷蓄積時間Ｔｂが前記電荷蓄積時間Ｔｔｈ以上のときには（ＳＡ１５）、前記第三画像補正手段３７が、前記補正ガンマ曲線Ｇｈで補正処理された低解像度画像濃度値データにおける補正画像累積ヒストグラムを前記補正画像累積ヒストグラム生成手段３８により生成し（ＳＡ１７）、また、前記更新補正ガンマ曲線Ｇｋで補正処理された高解像度画像濃度値データにおける高解像度累積ヒストグラムを前記高解像度累積ヒストグラム生成手段３９により生成する（ＳＡ１８）
また、前記第三画像補正手段３７は、前記補正画像累積ヒストグラムにおける各規格化濃度値Ｎ（ｉ）に対する累積率Ｌ（Ｎ（ｉ））と前記高解像度累積ヒストグラムにおける各規格化濃度値Ｎ（ｉ）に対する累積率Ｈ（Ｎ（ｉ））とを導出し、各規格化濃度値Ｎ(ｉ)に対する前記累積率Ｌ（Ｎ（ｉ））と前記累積率Ｈ（Ｎ（ｉ））との比である調整曲線Ｙａを生成する（ＳＡ１９）。そして、前記更新補正ガンマ曲線Ｇｋに前記調整曲線Ｙａを乗算した調整ガンマ曲線Ｇｙを生成し（ＳＡ２０）、前記記憶手段７０に記憶された高解像度画像データとしての高解像度画像出力電位データを前記調整ガンマ曲線Ｇｙに基づいて高解像度画像濃度値データへ変換すると同時に補正処理をも行なう（ＳＡ２１）。
【００５４】
前記選択された低解像度画像に対応する全ての低解像度画像データに対して、前記ステップＳＡ１０から前記ステップＳＡ２１の処理を順次行い、それが終了し（ＳＡ２２）、前記モニタＣ１に未表示の低解像度画像が残っていれば（ＳＡ２３）、前記未表示の低解像度画像を前記モニタＣ１に表示する（ＳＡ４）。
【００５５】
尚、前記第三画像補正手段３７による高解像度画像データの補正処理は、前記補正画像累積ヒストグラムや前記高解像度累積ヒストグラムとしての濃度累積ヒストグラムを、Ｒ成分、Ｇ成分、Ｂ成分毎に生成し、また、Ｒ成分、Ｇ成分、Ｂ成分にそれぞれ対応した前記調整曲線Ｙａを導出することで、前記高解像度画像データのＲ成分、Ｇ成分、Ｂ成分をそれぞれに対応した前記調整補正条件で補正処理する構成としてもよいし、前記補正画像累積ヒストグラムや前記高解像度累積ヒストグラムとしての濃度累積ヒストグラムを、Ｒ成分、Ｇ成分、Ｂ成分を平均した濃度累積ヒストグラムとして生成し、前記調整補正条件をＲ成分、Ｇ成分、Ｂ成分に共通の調整補正条件として導出し、前記高解像度画像データのＲ成分、Ｇ成分、Ｂ成分を前記共通の調整補正条件で補正処理する構成としてもよい。
【００５６】
ところで、前記閾値としての電荷蓄積時間Ｔｔｈは、装置の動作試験等により予め決定される値であるが、装置の経年変化等に対応してフィルムスキャナ１の起動時にセットアップ処理を行なうことにより設定されることも可能である。つまり、図１０のフローチャートに基づいて説明すると、前記フィルムスキャナ１が起動され、前記ハロゲンランプ１１が点灯した後（ＳＢ１）、所定の時間経過したときに（ＳＢ２）、前記ハロゲンランプ１１からの光量が一定の下で、前記ＣＣＤラインセンサと前記ハロゲンランプ１１との間に、所定の透過率のＮＤフィルタを設置し（ＳＢ３）、電荷蓄積時間と前記ＣＣＤラインセンサからの出力電位との関係である出力特性を生成する（ＳＢ４）。そして、前記生成された出力特性において、リニアな特性となっているリニア領域を特定し（ＳＢ５）、前記リニア領域に基づいて前記閾値としての電荷蓄積時間Ｔｔｈを設定するのである（ＳＢ６）。
【００５７】
以下、別の実施形態について説明する。上述した実施形態では、前記第二読取条件が所定の閾値条件を逸脱するときに、前記第三画像補正手段３７が、補正画像累積ヒストグラムと高解像度累積ヒストグラムとから導出した第三の補正条件で高解像度画像データを補正処理する場合について説明したが、図１１に示すように、高解像度画像データを縮小した縮小画像データを生成する縮小画像データ生成部４１を備え、前記第三画像補正手段３７が、前記縮小画像データに対して所定の補正処理を行なうとともに、前記縮小画像データに対して所定の補正処理を行なった第三の補正条件に基づいて前記高解像度画像データを補正処理する構成としてもよい。尚、以下、便宜上前記第三画像補正手段３７を第三画像補正手段４７として符号を代えて説明する。
【００５８】
前記縮小画像データ生成部４１は、前記記憶手段７０に記憶された高解像度画像データとしての高解像度画像出力電位データを前記ガンマ曲線Ｇｒに基づいて高解像度画像濃度値データへ変換し、例えば、図１２に示すように、前記高解像度画像濃度値データに対して特定画素Ｐｓ（ｉ，ｊ）となる画素を含んだ目的縮小サイズに応じた所定数の画素群Ｐｇ（ｉ，ｊ）における画素データの平均値を算出し、前記算出された平均値を前記特定画素Ｐｓ（ｉ，ｊ）の新たな画素データとして置換する等といった平滑化処理を実施するとともに、目的縮小サイズとなるように画素の間引き処理を行ない、前記間引き処理により尚もまだ残っている前記新たな画素データとなった画素Ｐｓ’（ｉ，ｊ）の座標を新たな座標Ｐｓ’（ｋ，ｌ）として置換する圧縮処理を行なうことで、前記高解像度画像データから縮小画像データを生成するように構成されている（ｉ＝０、１，２，・・・，ｍ−１、ｊ＝０、１，２，・・・，ｎ−１、ｋ＝０，１，２，・・・，（ｎ−１）／ｐ、ｌ＝０，１，２，・・・，（ｍ−１）／ｑ、ｐはｙ軸方向の縮小係数、ｑはｘ軸方向の縮小係数）。
【００５９】
前記第三画像補正手段４７は、前記縮小画像データ生成部４１により生成された前記縮小画像データを、前記モニタＣ１に縮小画像として表示させ、前記キーボードＣ２や前記マウスＣ３を介したオペレータからの操作指示に基づいて前記縮小画像データに対して濃度補正やコントラスト補正等の補正処理を行なうとともに補正処理した縮小画像データを再度前記モニタＣ１表示させ、最終的にオペレータによって決定された補正処理後の縮小画像データに対して施されている第三の補正条件を生成し、前記縮小画像データの基礎となった高解像度画像データに対して前記第三の補正条件で補正処理するように構成されている。
【００６０】
前記キーボードＣ２や前記マウスＣ３を介したオペレータからの操作指示は、図１３（ａ）に示すような、前記縮小画像データに対する変換特性Ｈｐとして生成され、前記変換特性Ｈｐに基づいて前記縮小画像データが補正処理されるように構成されている。
【００６１】
また、前記第三の補正条件は、最終的にオペレータによって決定された変換特性Ｈｐに、予め設定されていた前記ガンマ曲線Ｇｒが乗算された図１３（ｂ）に示すような調整ガンマ曲線Ｇｐとして生成されるように構成されている。
【００６２】
つまり、前記第三画像補正手段４７は、前記縮小画像データの基礎となった高解像度画像データとしての高解像度画像出力電位データを前記調整ガンマ曲線Ｇｐに基づいて高解像度画像濃度値データへ変換すると同時に補正処理をも行なうように構成されている。
【００６３】
以下、写真画像処理の動作について図１４のフローチャートに基づいて説明する。前記ステップＳＡ１５で、前記電荷蓄積時間Ｔｂが前記電荷蓄積時間Ｔｔｈ以上のときに、前記縮小画像データ生成部４１は、前記記憶手段７０に記憶された高解像度画像データとしての高解像度画像出力電位データを前記ガンマ曲線Ｇｒに基づいて高解像度画像濃度値データへ変換し（ＳＣ１）、前記高解像度画像濃度値データから縮小画像データを生成する（ＳＣ２）。
【００６４】
前記縮小画像データが生成されると、前記第三画像補正手段４７は、前記縮小画像データを縮小画像として前記モニタＣ１に表示し（ＳＣ３）、前記キーボードＣ２や前記マウスＣ３を介したオペレータからの補正処理に関する操作指示に基づいて前記変換特性Ｈｐを生成する（ＳＣ４）。そして、前記変換特性Ｈｐに基づいて前記縮小画像データに対して濃度補正やコントラスト補正等の補正処理を行なうとともに（ＳＣ５）、前記補正処理した縮小画像データを縮小画像として再度前記モニタＣ１に表示させる（ＳＣ６）。
【００６５】
オペレータにより最終的な補正処理が確定されると（ＳＣ７）、前記第三画像補正手段４７は、最終的に補正処理された前記縮小画像データにおける前記変換特性Ｈｐに、予め設定されていた前記ガンマ曲線Ｇｒが乗算された調整ガンマ曲線Ｇｐを生成し（ＳＣ８）、前記記憶手段７０に記憶された高解像度画像データとしての高解像度画像出力電位データを前記調整ガンマ曲線Ｇｐに基づいて高解像度画像濃度値データへ変換すると同時に補正処理をも行なう（ＳＣ９）。そして、前記ステップＳＡ２２へ進む。
【００６６】
上述した実施形態では、前記高解像度累積ヒストグラム生成手段３９が、前記更新補正ガンマ曲線Ｇｋが施されている高解像度画像濃度値データにおける濃度累積ヒストグラムである高解像度累積ヒストグラムを生成し、前記第三画像補正手段３７が、高解像度累積ヒストグラムに基づいて前記第三の補正条件を導出した場合について説明したが、前記高解像度累積ヒストグラム生成手段３９が、前記更新補正ガンマ曲線Ｇｋが施されている高解像度画像濃度値データに対して、前記縮小画像データ生成部４１と同様に縮小画像データを生成し、前記縮小画像データにおける濃度累積ヒストグラムである縮小画像累積ヒストグラムを生成し、前記縮小画像累積ヒストグラムに基づいて前記第三の補正条件を導出する構成としてもよい。
【００６７】
上述した実施形態では、画素濃度値を最大設定濃度値で除した規格化濃度値、及び、出力電位データが濃度値データに変換された前記低解像度画像濃度値データや高解像度画像濃度値データとしての濃度値画像データの各濃度値における画素数を順に加えた累積値を、前記濃度値画像データにおける総画素数で規格化した値を累積率として表される累積ヒストグラムに基づいて調整補正条件を求めるものを説明したが、規格化しない生データである画素濃度値、及び、累積画素数に基づく累積ヒストグラムに基づいて調整補正条件を求めるものであってもよい。この場合には、画素数の整合性を保つために、前記縮小画像データ生成部により高解像度画像データを縮小した縮小画像データに対して調整補正条件を求める必要がある。
【００６８】
上述した実施形態では、前記電荷蓄積時間Ｔｂは、前記低解像度画像データにおける平均濃度値を算出し、前記平均濃度値に対応した予め記憶されている変換倍率Ｂａを前記電荷蓄積時間Ｔａに乗算することで導出する場合について説明したが、前記電荷蓄積時間Ｔｂは、前記低解像度画像データにおける最大濃度値に基づいて、前記高解像度画像データの読み取り時に前記高解像度画像データが前記ＣＣＤラインセンサの読み取りレンジ内に治まるように調節される構成としてもよい。
【００６９】
上述した実施形態では、前記第一画像読取手段３１が前記画像読取手段３０により第一読取条件に基づいて低解像度画像データを読み取り、前記第一画像補正手段が前記読み取った低解像度画像データに対して所定の補正処理を行ない、また、前記第二画像読取手段３２が前記画像読取手段３０により第二読取条件に基づいて高解像度画像データを読み取り、前記第二画像補正手段または前記第三画像補正手段が前記高解像度画像データを補正処理するといった手順について説明したが、前記第一画像読取手段３１が前記画像読取手段３０により第一読取条件に基づいて低解像度画像データを読み取り、また、前記第二画像読取手段３２が前記画像読取手段３０により第二読取条件に基づいて高解像度画像データを読み取り、その後、前記第一画像補正手段が前記読み取った低解像度画像データに対して所定の補正処理を行ない、更に、前記第二画像補正手段または前記第三画像補正手段が前記高解像度画像データを補正処理するといった手順であってもよい。
【００７０】
上述では第一または第二読取条件として電荷蓄積時間を調整する構成について説明したが、前記照明光学系１０からのスリット光の光量を調節する構成を採用する場合にも同様の処理を行なうことが可能である。
【００７１】
尚、上述した実施形態は、本発明の一例に過ぎず、本発明の作用効果を奏する範囲において各ブロックの具体的構成等を適宜変更設計できることは言うまでもない。
【図面の簡単な説明】
【００７２】
【図１】コマ画像データに施す写真画像処理にかかる機能ブロック構成の説明図
【図２】写真画像処理装置の外観構成の説明図
【図３】写真画像処理装置の概観構成の説明図
【図４】出力電位データを濃度値データへ変換するためのガンマ曲線Ｇｒの説明図
【図５】（ａ）は濃度値データに対する変換特性Ｈｔの説明図、（ｂ）は出力電位データを濃度値データへ変換するための補正ガンマ曲線Ｇｈの説明図、（ｃ）は出力電位データを濃度値データへ変換するための更新補正ガンマ曲線Ｇｈの説明図
【図６】（ａ）は補正画像累積ヒストグラム及び高解像度累積ヒストグラムの説明図、（ｂ）は調整曲線Ｙａの説明図、（ｃ）は出力電位データを濃度値データへ変換するための調整ガンマ曲線Ｇｙの説明図
【図７】コマ画像データに施す写真画像処理にかかる動作を説明するためのフローチャート
【図８】コマ画像データに施す写真画像処理にかかる動作を説明するためのフローチャート
【図９】コマ画像データに施す写真画像処理にかかる動作を説明するためのフローチャート
【図１０】セットアップ処理を説明するためのフローチャート
【図１１】別実施形態におけるコマ画像データに施す写真画像処理にかかる機能ブロック構成の説明図
【図１２】縮小画像データの生成過程の説明図
【図１３】（ａ）は縮小画像データに対する変換特性Ｈｐの説明図、（ｂ）は別実施形態における出力電位データを濃度値データへ変換するための調整ガンマ曲線Ｇｐの説明図
【図１４】別実施形態におけるコマ画像データに施す写真画像処理にかかる動作を説明するためのフローチャート
【図１５】電荷蓄積時間と出力電位との関係、各電荷蓄積時間における光強度と固体撮像素子からの出力電位との関係、及び、各電荷蓄積時間における固体撮像素子からの出力電位と規格化濃度値との関係の説明図
【符号の説明】
【００７３】
１：フィルムスキャナ
３０：画像読取手段
３１：第一画像読取制御手段
３２：第二画像読取制御手段
３４：ＧＵＩ
３５：第一画像補正手段
３６：第二画像補正手段
３７、４７：第三画像補正手段
３８：補正画像累積ヒストグラム生成手段
３９：高解像度累積ヒストグラム生成手段
４１：縮小画像データ生成部
７０：記憶手段
【図１】
2006340272.tif 000003
【図２】
2006340272.tif 000004
【図３】
2006340272.tif 000005
【図４】
2006340272.tif 000006
【図５】
2006340272.tif 000007
【図６】
2006340272.tif 000008
【図７】
2006340272.tif 000009
【図８】
2006340272.tif 000010
【図９】
2006340272.tif 000011
【図１０】
2006340272.tif 000012
【図１１】
2006340272.tif 000013
【図１２】
2006340272.tif 000014
【図１３】
2006340272.tif 000015
【図１４】
2006340272.tif 000016
【図１５】
2006340272.tif 000017